(57)【特許請求の範囲】
【請求項１】
小径竿杆を保持し、管状の大径竿杆に継合させる保持部材を備えた釣竿であって、
前記保持部材は、小径竿杆の元側を保持する保持部と、前記大径竿杆の先端開口に挿入、固定される挿入部とを備えており、
前記挿入部は、前記保持部材が大径竿杆の先端開口に挿入、固定された際、大径竿杆の先端側の内面との間で隙間が生じる形状を有し、
前記保持部材は、前記大径竿杆の先端開口の内径よりも大径となる大径部を備え、前記挿入部は、前記大径部から挿入方向に向けて次第に小径化していることを特徴とする釣竿。
【請求項２】
前記保持部材を大径竿杆の先端開口に挿入、固定した際、前記挿入部は、前記大径部から５ｍｍ以上露出することを特徴とする請求項１に記載の釣竿。
【請求項３】
前記保持部材には、軸長方向に沿ってスリットが形成されていることを特徴とする請求項１又は２に記載の釣竿。
【請求項４】
前記保持部は、前記小径竿杆を保持した際、小径竿杆の外面との間で隙間が生じるように開口側に向けて次第に拡径していることを特徴とする請求項１から３のいずれか１項に記載の釣竿。
【請求項５】
前記小径竿杆は、平板状の穂先竿杆として構成されていることを特徴とする請求項１から４のいずれか１項に記載の釣竿。
【発明の詳細な説明】
【技術分野】
【０００１】
本発明は、釣竿に関し、詳細には、複数の竿杆（竿節）の継合部に特徴を有する釣竿に関する。
【背景技術】
【０００２】
従来、釣竿として、例えば特許文献１に開示された構成が知られている。この文献に開示されている釣竿は、主にワカサギ釣りに適した構造となっており、穂先感度を高めるように、穂先竿杆を扁平構造としている。また、複数本の竿杆を継合することで構成される釣竿は、特許文献１に開示されているような振り出し構造にしたり、或いは、小径竿杆を大径竿杆に嵌合させる並継構造にする等の方式が知られている。
【特許文献１】実開昭５１−６２４８９号
【発明の開示】
【発明が解決しようとする課題】
【０００３】
ところで、上記したような複数本の竿杆を継合した構造の釣竿は、小径竿杆側に急激な負荷が生じた際、大径竿杆の竿受け部分に応力が集中するため、破損等が生じる可能性がある。
【０００４】
本発明は、上記した問題に基づいてなされたものであり、急な負荷が作用しても破損等し難い継合構造を備えた釣竿を提供することを目的とする。
【課題を解決するための手段】
【０００５】
上記した目的を達成するために、本発明に係る釣竿は、小径竿杆を保持し、管状の大径竿杆に継合させる保持部材を備えており、前記保持部材は、小径竿杆の元側を保持する保持部と、前記大径竿杆の先端開口に挿入、固定される挿入部とを備え、前記挿入部は、前記保持部材が大径竿杆の先端開口に挿入、固定された際、大径竿杆の先端側の内面との間で隙間が生じる形状を有し、前記保持部材は、前記大径竿杆の先端開口の内径よりも大径となる大径部を備え、前記挿入部は、前記大径部から挿入方向に向けて次第に小径化していることを特徴とする。
【０００６】
上記した構成の釣竿によれば、小径竿杆に大きな負荷が作用して大きく撓んでも、それを保持する保持部材は、大径竿杆の内面との間で隙間が生じるような挿入部を有しているため、小径竿杆の大きな撓みが許容されると共に、応力集中する領域を緩和することが可能となり、大径竿杆の竿受け部分で破損等が生じることが抑制されるようになる。
【発明の効果】
【０００７】
本発明によれば、急な負荷が作用しても破損等し難い継合構造を備えた釣竿が得られるようになる。
【発明を実施するための最良の形態】
【０００８】
図１から図４は、本発明に係る釣竿の一実施形態を示す図であり、図１は全体構成を示す図、図２は継合構造を説明する図、図３は小径竿杆を保持部材に保持して大径竿杆に継合させた状態を示す図、そして、図４は小径竿杆に負荷が作用した状態を示す図である。
【０００９】
本実施形態の釣竿１は、例えば、ワカサギのような小さい魚を釣るのに適した構造となっており、元竿杆（管状の大径竿杆）３に穂先竿杆（小径竿杆）５を継合させる、いわゆる２本継ぎの釣竿として構成されている。この場合、穂先竿杆５は、保持部材１０に保持された状態で、保持部材１０を元竿杆３の先端開口３ａ内に挿入することで継合されるようになっている。
【００１０】
前記元竿杆３は、管状体に構成されており、例えば、強化繊維（主に炭素繊維やガラス繊維など）に合成樹脂を含浸した、いわゆるプリプレグシートを芯金に巻回し、加熱工程を経た後、脱芯する等、定法に従って所定の寸法に形成されている。このように形成される元竿杆３の基端側の外周には、釣糸を巻回するリールＲを装着するためのリール載置部（詳細な構成については図示しない）が設けられている。
【００１１】
また、前記穂先竿杆５は、合成樹脂、或いは繊維強化樹脂等の材料によって、矩形の平板状（シート状）に構成されており、その外面には、リールＲから繰り出される釣糸を案内する釣糸ガイド７が所定間隔をおいて取着されている。
【００１２】
このような平板状の穂先竿杆では、ワカサギのような小さな魚の微妙なアタリを敏感に感知させることが可能となり、かつ、以下のように構成される保持部材１０に保持させることで、破損等を抑制し、その当たりを視認し易くすることが可能となる。
【００１３】
前記穂先竿杆５を保持する保持部材１０は、ゴム等、弾性変形する軟質体によって構成されている。なお、それ以外にも、ＥＶＡやウレタンのような発泡材、ＡＢＳ、ナイロン、ＰＯＭのような硬質樹脂、或いは、金属によって構成されていても良い。
【００１４】
前記保持部材１０は、穂先竿杆５の元側を保持する保持部１１と、元竿杆３の先端開口３ａから内部に挿入、固定される挿入部１５とを備えており、全体として略円柱状の形状に構成されている。
【００１５】
本実施形態では、前記穂先竿杆５は、平板状の部材によって構成されていることから、前記保持部１１は、穂先竿杆５の元側を嵌入して保持するように、水平方向に沿った扁平の形状で底部１２ａを具備する嵌入穴１２によって構成されている。すなわち、このように保持部１１を有底構造としておくことで、誤って穂先竿杆５を差し込みすぎることが防止され（ストッパとして機能する）、更には、実釣時において、元竿杆３内に水を侵入し難くすることが可能となる。
【００１６】
上記した保持部１１は、穂先竿杆５を保持した際、穂先竿杆５の外面との間で隙間が生じるように開口側に向けて次第に拡径させておくことが好ましい（そのような拡径領域を符号１２ｃで示す）。すなわち、本実施形態のように、板状の穂先竿杆を嵌入穴１２に嵌入して保持させる構成では、図３に示すように、開口側に向けて次第に嵌入穴１２の高さが高くなるように形成することで、穂先竿杆５と嵌入穴１２の内面を接触させないようにすることができ、これにより、応力集中による折れや損傷等を抑制することが可能になると共に穂先竿杆５の嵌入がし易くなる。
【００１７】
特に、保持部材１０を、硬質樹脂や金属で構成した場合、上記のように嵌入穴１２の先端側を拡径させておくことで、応力集中による折れや損傷等を効果的に抑制することが可能となる。
【００１８】
そして、前記保持部材１０の挿入部１５は、保持部材１０が元竿杆３の先端開口３ａに挿入、固定された際、元竿杆３の先端側の内面３ｂとの間で隙間が生じるような形状となっている。
【００１９】
具体的に、保持部材１０は、元竿杆３の先端開口３ａの内径Ｄよりも大径となる大径部１０Ａ（保持部材として最大径となる位置であり、その大径部の外径をＤ１とした場合、Ｄ１＞Ｄとされる）を備えており、挿入部１５は、大径部１０Ａから挿入方向に向けて次第に小径化する形状となっている。すなわち、挿入部１５のこのような形状により、保持部材１０を元竿杆３の先端開口３ａに挿入した際、次第に小径化する挿入部１５のいずれかの部分で係止させることができ（そのような係止部を符号１５Ａで示す）、その係止部から挿入側の領域について、元竿杆３の先端側の内面３ｂとの間で隙間が生じるようになっている。
【００２０】
なお、係止部１５Ａは、元竿杆３の先端開口３ａとの間で線接触するようになるが、保持部材１０の係止部１５Ａの近傍に多少の切欠や凹所を形成して（中心軸よりも上方に形成される）、線接触させないようにしても良い。また、大径部１０Ａよりも前方側については、図に示すように、先端に移行するに連れて次第に縮径化して露出させても良いし、ストレート状にして露出させても良い。
【００２１】
また、本実施形態では、保持部材１０に、軸長方向に沿って前記嵌入穴１２の水平方向両サイドにスリット１４を形成している。このスリット１４は、前記底部１２ａの手前で終端するように形成されている。
【００２２】
以上のような構成によれば、挿入部１５は、元竿杆３の先端側の内面３ｂとの間で隙間が生じる形状にされているため、図３及び図４に示すように、穂先竿杆５に急な負荷が作用して大きく撓んでも、保持部材１０の挿入部側が変位できるようになり、穂先竿杆５の保持部先端での応力集中による折れや損傷等を防止することが可能となる。
【００２３】
また、図４に示すように、穂先竿杆５の変位と共に、更に、保持部材１０の挿入部１５も元竿杆３の内面３ｂに当て付くまで変位することができるため、穂先竿杆５が持つ本来の剛性による先部の変位量よりも大きい変位量が得られ、魚の当たりを明確に視認することが可能となる。さらに、魚がエサを喰えた際に、穂先竿杆の持つ本来の剛性による抵抗を、保持部材１０の挿入部１５が元竿杆３の内面３ｂに接触するまでの間、やわらげることができるため、魚が違和感によりエサを離すことが少なくなり、自然に喰い込ませることができる。
【００２４】
また、上記した構成では、挿入部１５は、大径部１０Ａから挿入方向に向けて次第に小径化する形状となっているため、保持部材１０を元竿杆３の先端開口３ａに挿入して押し込むと、大径部１０Ａの領域が縮径するようになり、この結果、嵌入穴１２に保持されている穂先竿杆５の外面が、嵌入穴１２の内面によって圧接され、穂先竿杆５の保持状態が安定するようになる。
【００２５】
特に、本実施形態では、嵌入穴１２の水平方向両サイドにスリット１４を形成しているため、保持部材１０を元竿杆３の先端開口３ａに挿入した際、大径部１０Ａの領域が上下方向に縮径し易くなって、保持部材１０の内面（嵌合穴１２の内面）と穂先竿杆５の外面が圧接され、穂先竿杆の保持状態を確実に維持することが可能となる。
【００２６】
また、上記した構成においては、保持部材１０を元竿杆３の先端開口３ａに挿入、固定した際、前記挿入部１５は、大径部１０Ａから後方側が５ｍｍ以上露出していることが好ましい（Ｌを５ｍｍ以上とする）。このように挿入部１５の露出領域を確保することで、露出部分を指で摘み易くなり、保持部材１０を元竿杆３から容易に外すことができる。なお、保持部材１０の全体の飛び出し量としては、１０ｍｍ程度にすることが望ましい。
【００２７】
また、上記した構成では、挿入部１５は、挿入方向に向けて次第に小径化させたことで元竿杆３の内面３ｂに対して３６０°に亘って隙間を有するようになっているが、少なくとも上方側（穂先竿杆５が、魚が掛かったことによって下方に撓んでも、挿入部１５が変位できる方向）に隙間があるような形状であっても良い。このように、少なくとも上方側に隙間が存在していれば、フレキシブルに、保持部材１０の後端側が上方に変位することが可能となる。
【００２８】
さらに、保持部材１０を弾性部材で構成した場合、挿入部１５の肉厚は、後端部側（挿入側）が、大径部１０Ａ側よりも薄くなるように形成しておくことが好ましい。このように構成することで、嵌入穴１２に嵌入した穂先竿杆５の後端側が変位し易くなって、折れや損傷等を抑制できると共に、当たりを明確に視認できるようになる。
【００２９】
以上、本発明の実施形態について説明したが、本発明は、上記した実施形態の形状に限定されることはなく、種々変形することが可能である。例えば、上記した釣竿は、ワカサギのような小魚に適した構造となっていたが、そのような用途に限定されることはない。
【００３０】
例えば、竿杆の本数や、その断面形状については、適宜変形することが可能である。すなわち、穂先竿杆（小径竿杆）の形状については、中実状、中空状、断面円形、断面楕円形にする等、適宜変形することが可能である。また、そのような形状に応じて、保持部材１０の小径竿杆を保持する保持部１１の形状についても適宜変形することが可能である。さらに、変形を容易にするためのスリット１４の形状や形成箇所、個数等についても適宜変形することが可能である。
【図面の簡単な説明】
【００３１】
【図１】本発明に係る釣竿の一実施形態を示す図であり、全体構成を示す図。
【図２】図１において、小径竿杆と大径竿杆の継合構造を説明する図。
【図３】小径竿杆を保持部材に保持して大径竿杆に継合させた状態を示す図。
【図４】小径竿杆に負荷が作用した状態を示す図。
【符号の説明】
【００３２】
１  釣竿
３  元竿杆（大径竿杆）
５  穂先竿杆（小径竿杆）
１０  保持部材
１１  保持部
１２  嵌入穴
１４  スリット
１５  挿入部
【図１】
0004928485.tif 000002
【図２】
0004928485.tif 000003
【図３】
0004928485.tif 000004
【図４】
0004928485.tif 000005